(57)【要約】【課題】    散水制御ユニットが正確に放水角度を切換えて、スプリンクラー本体を別方向へ簡単に揺れ戻せるようにした、芝生用スプリンクラーの揺動機構を提供する。【解決手段】  芝生用スプリンクラーの揺動機構は、ギア作動式動力伝動機構２１１が内部に配置された散水制御ユニット２１を含み、制限コネクタ２１２がギア作動式動力伝動機構２１１とスプリンクラー本体に密接状態で連結され、主回転駆動輪と、調節座２１５と、注水口コネクタ２１３とが連続的にギア作動式動力伝動機構２１１の他端部に連結され、流水切換板２１６、切換装置２１７、保持ポール２１５２が調節座に据え付けられ、スプリンクラー本体を揺り戻すために、ギア作動式動力伝動機構に連結された保持ポールを介して切換装置２１７が回転されて、瞬間に他方側へ押しやられ、流水切換板２１６を付勢し、放水角度を正確に切換えて、散水制御ユニットの操作が簡単に円滑に行なえる構成とした。【選択図】    図６
0003103254.tif 000002
【実用新案登録請求の範囲】
【請求項１】
ギア作動式動力伝動機構、制限コネクタ、注水口コネクタ、排水口コネクタ、主回転駆動輪、そして調節座とからなる芝生用スプリンクラーの揺動機構であって、
流水切換板と、切換装置と、保持ポールとが前記注水口コネクタに対応して前記調節座の側部に配置されていて、前記切換装置は、前記保持ポールの一端部に位置付けられて、同じ軸を共有し、前記流水切換板と同方向へ回転され、流水切換板を精密に移動して、放水角度を切換え得るようにしたことを特徴とする芝生用スプリンクラーの揺動機構。
【請求項２】
前記調節座には、その側壁部に切欠きを有する制限槽が有り、その内部に前記切換装置が配置されるようになっていることを特徴とする請求項１記載の芝生用スプリンクラーの揺動機構。
【請求項３】
前記調節座の制限槽には、その中心部に突出していて旋回孔がその中に形成された連結ロッドが配置され、該連結ロッドに流水切換板がスリーブ係合され、その一端部で保持ポールが前記旋回孔の中に挿通される構成としたことを特徴とする請求項２記載の芝生用スプリンクラーの揺動機構。
【請求項４】
前記調節座の制限槽には、突出した案内ブロックと、そこに予め設定された領域に適切に配置された対称になる上方および下方の導水用オリフェスと、が形成されていることを特徴とする請求項２記載の芝生用スプリンクラーの揺動機構。
【請求項５】
前記切換装置はフレーム体から成ることを特徴とする請求項１記載の芝生用スプリンクラーの揺動機構。
【請求項６】
前記切換装置には、その内側で中心に向かって伸びている複数個の弾性リブを有し、且つ両側に対称に形成した切欠きよりなる制御部を有すると共に、内側部には１対の上下逆さまに配置されたＵ字形状の弾性部が上方側および下方側にそれぞれ突出していることを特徴とする請求項５記載の芝生用スプリンクラーの揺動機構。
【請求項７】
前記保持ポールは、四角形状の連結端部が一方側に形成された旋回ロッドと、他方側端部に形成された大径の鋸歯状の調節部とからなることを特徴とする請求項１記載の芝生用スプリンクラーの揺動機構。
【請求項８】
前記切換装置の弾性リブは、噛合い状態になっている端部によって、保持ポールの鋸歯状の調節部へ隣接係合していることを特徴とする請求項６記載の芝生用スプリンクラーの揺動機構。
【請求項９】
前記切換装置の制御部が、流水切換板の回転と位置決めを確実に制御できることを特徴とする請求項６記載の芝生用スプリンクラーの揺動機構。
【請求項１０】
前記係止ブロックが、切換装置の内側の上下逆さまになる各々のＵ字形状の弾性部の上部中心に突出して配置されており、調節座の突出した案内ブロックの一側に一致させられて隣接係合していることを特徴とする請求項６記載の芝生用スプリンクラーの揺動機構。
【請求項１１】
前記保持ポールの四角形状の連結端部は調節座の旋回孔を挿通して、ギア作動式動力伝動機構の一側に配置された四角形状の連結孔に挿入されるようになっていることを特徴とする請求項７記載の芝生用スプリンクラーの揺動機構。
【請求項１２】
芝生用スプリンクラーの揺動機構であって、散水制御ユニットが、ギア作動式動力伝動機構と、制限コネクタと、注水口コネクタと、排水口コネクタと、主回転駆動輪と、流水切換板と切換装置と保持ポールが配置された調節座とを含み、様々な設計になるスプリンクラー本体が、排水口コネクタの一端部に横方向に設置されるようにしたことを特徴とする芝生用スプリンクラーの揺動機構。
【請求項１３】
芝生用スプリンクラーの揺動機構であって、前記散水制御ユニットが、ギア作動式動力伝動機構と、制限コネクタと、注水口コネクタと、排水口コネクタと、主回転駆動輪と、流水切換板と切換装置と保持ポールが配置された調節座とを含み、前記散水制御ユニットは、垂直型に構成されていて、様々な設計になるスプリンクラー本体が排水口コネクタの上部に設置されて、垂直向に行ったり来たり揺動されるようにしたことを特徴とする芝生用スプリンクラーの揺動機構。
【考案の詳細な説明】
【技術分野】
【０００１】
本考案は、芝生用スプリンクラーの揺動機構に関する。
【背景技術】
【０００２】
図１〜図４を参照すると、従来の芝生用スプリンクラーの揺動機構は、スプリンクラー台１０と、該スプリンクラー台１０の一側に取り付けられて、内部に配設されたギア作動式動力伝動機構１１１を有する散水制御ユニット１１とが組合せられて構成されている。
また、散水制御ユニット１１には、制限コネクタ１１２がその外側の一端部に固着され、制水弁を有する注水口コネクタ１１３がその他端部に接合状態で連結されている。前記制限コネクタ１１２は、ギア作動式動力伝動機構１１１とスプリンクラー本体（図示されていない）とに対応して作動するようになっている。
【０００３】
図２に示すように、ギア作動式動力伝動機構１１１の一端部には、２対の対称に配設した弾性プレート１１１１，１１１２が備えられていて、片方の対となる弾性プレート１１１には、排水口コネクタ１１３’のスリーブ孔１１３１’の環状の切子面１１３２’に固着されるように、その外側縁部において突出しているフック状のフランジ１１１１’があり、もう一方の対となる弾性プレート１１１２には、それぞれスリーブ孔１１３１’の鋸歯状の切子面１１３３’と噛み合うように、その外側周囲に突出リブ１１１２’が形成されている。
前記ギア作動式動力伝動機構１１１の他端部は、主回転駆動輪１１４と回転可能に係合されていて、この主回転駆動輪１１４には、その他方側で、注水孔１１５１及び圧力解除孔が形成された調節座１１５が連結されている。
【０００４】
図３に示すように、位置決め部材１１７が結合された回転装置１１６は調節座１１５とスリーブ係合している。位置決め部材１１７には、その上方および下方の両側にそれぞれ１対の左方，右方導水用オリフェス１１７１が対称に配置されていて、調節座１１５の注水孔１１５１に合致するようになっている。
【０００５】
図４に示すように、回転装置１１６と結合して協働状態にある位置決め部材１１７の左，右両側に、１対のフック状となるバネ１１８が対称に配置されている。
【考案の開示】
【考案が解決しようとする課題】
【０００６】
しかし、このような従来の芝生用スプリンクラーの揺動機構にはいくつかの欠点がある。
第１に、制限コネクタ１１２によって制限された端部まで回転した時に、スプリンクラー本体を揺り戻するには、図４に示すように、回転装置１１６が反対方向へ回転して、他方側へはね返ってスプリンクラー本体の角度を切換えるようになるまで、フック状のバネ１１８を圧縮する必要がある。従って、同じ軸を共有しているけれども反対方向へ回転される回転装置１１６では、この操作に対し効率が非常に悪い。
第２に、散水制御ユニット１１が放水角度を切換えられてスプリンクラー本体を揺動した場合、図３に示すように、調節座１１５と位置決め部材１１７の間に付随する内側に、隙間Ａが形成されやすい。従って、注水孔１１５１から入ってきて左側に配置された導水用オリフィス１１７１から流れ出る水が、隙間Ａから流出してしまい、右側に配置された導水用オリフィス１１７１を介して漏れ出ることになる。その結果、放水切換えが非効率的なものになってしまう。
第３に、散水制御ユニット１１が放水角度を切換えられて、スプリンクラー本体を揺動した場合に、回転装置１１６とバネ１１８とが位置決め部材１１７に関して反対方向へ動かされるので、放水切換えがかなり複雑で操作性を非能率的なものとさせることになる。
【０００７】
故に、本考案は、従来技術の欠点を改善して、調節座の突出した案内ブロックと対応して作動する切換装置の係止ブロックを介して、制限コネクタによって制限された側の端部まで行った時に、スプリンクラー本体が別方向へ簡単に揺れ戻されるように構成したスプリンクラー台の一側に取り付けられた散水制御ユニットを含む芝生用スプリンクラーの揺動機構を提供することを第１の目的とする。
【０００８】
更に、本考案の第２の目的は、切換装置の切欠きよりなる制御部に位置決めされ、それによって制限される流水切換板を介して、散水制御ユニットが正確に放水角度を切換えて、スプリンクラー本体を揺動旋回できるようにした芝生用スプリンクラーの揺動機構を提供することにある。
【課題を解決するための手段】
【０００９】
請求項１に係る芝生用スプリンクラーの揺動機構は、ギア作動式動力伝動機構、制限コネクタ、注水口コネクタ、排水口コネクタ、主回転駆動輪、そして調節座とからなる芝生用スプリンクラーの揺動機構であって、流水切換板と、切換装置と、保持ポールとが前記注水口コネクタに対応して前記調節座の側部に配置されていて、前記切換装置は、前記保持ポールの一端部に位置付けられて、同じ軸を共有し、前記流水切換板と同方向へ回転され、流水切換板を精密に移動して放水角度を切換え得るようにしたことを特徴とする。
【００１０】
請求項２の考案は、請求項１記載の芝生用スプリンクラーの揺動機構において、前記調節座には、その側壁部に切欠きを有する制限槽が有り、その内部に前記切換装置が配置されるようになっていることを特徴とする。
【００１１】
請求項３の考案は、請求項２記載の芝生用スプリンクラーの揺動機構において、前記調節座の制限槽には、その中心部に突出していて旋回孔がその中に形成された連結ロッドが配置され、該連結ロッドに流水切換板がスリーブ係合され、その一端部で保持ポールが前記旋回孔の中に挿通される構成としたことを特徴とする。
【００１２】
請求項４の考案は、請求項２記載の芝生用スプリンクラーの揺動機構において、前記調節座の制限槽には、突出した案内ブロックと、そこに予め設定された領域に適切に配置された対称になる上方および下方の導水用オリフェスと、が形成されていることを特徴とする。
【００１３】
請求項５の考案は、請求項１記載の芝生用スプリンクラーの揺動機構において、前記切換装置はフレーム体から成ることを特徴とする。
【００１４】
請求項６の考案は、請求項５記載の芝生用スプリンクラーの揺動機構において、前記切換装置には、その内側で中心に向かって伸びている複数個の弾性リブを有し、且つ両側に対称に形成した切欠きよりなる制御部を有すると共に、内側部には１対の上下逆さまに配置されたＵ字形状の弾性部が上方側および下方側にそれぞれ突出していることを特徴とする。
【００１５】
請求項７の考案は、請求項１記載の芝生用スプリンクラーの揺動機構において、前記保持ポールは、四角形状の連結端部が一方側に形成された旋回ロッドと、他方側端部に形成された大径の鋸歯状の調節部とからなることを特徴とする。
【００１６】
請求項８の考案は、請求項６記載の芝生用スプリンクラーの揺動機構において、前記切換装置の弾性リブは、噛合い状態になっている端部によって、保持ポールの鋸歯状の調節部へ隣接係合していることを特徴とする。
【００１７】
請求項９考案は、請求項６記載の芝生用スプリンクラーの揺動機構において、前記切換装置の制御部が、流水切換板の回転と位置決めを確実に制御できることを特徴とする。
【００１８】
請求項１０の考案は、請求項６記載の芝生用スプリンクラーの揺動機構において、前記係止ブロックが、切換装置の内側の上下逆さまになる各々のＵ字形状の弾性部の上部中心に突出して配置されており、調節座の突出した案内ブロックの一側に一致させられて隣接係合していることを特徴とする。
【００１９】
請求項１１の考案は、請求項７記載の芝生用スプリンクラーの揺動機構において、前記保持ポールの四角形状の連結端部は調節座の旋回孔を挿通して、ギア作動式動力伝動機構の一側に配置された四角形状の連結孔に挿入されるようになっていることを特徴とする。
【００２０】
請求項１２の考案は、芝生用スプリンクラーの揺動機構であって、散水制御ユニットが、ギア作動式動力伝動機構と、制限コネクタと、注水口コネクタと、排水口コネクタと、主回転駆動輪と、流水切換板と切換装置と保持ポールが配置された調節座とを含み、様々な設計になるスプリンクラー本体が、排水口コネクタの一端部に横方向に設置されるようにしたことを特徴とする。
【００２１】
請求項１３の考案は、芝生用スプリンクラーの揺動機構であって、前記散水制御ユニットが、ギア作動式動力伝動機構と、制限コネクタと、注水口コネクタと、排水口コネクタと、主回転駆動輪と、流水切換板と切換装置と保持ポールが配置された調節座とを含み、前記散水制御ユニットは、垂直型に構成されていて、様々な設計になるスプリンクラー本体が排水口コネクタの上部に設置されて、垂直向に行ったり来たり揺動されるようにしたことを特徴とする。
【考案の効果】
【００２２】
本考案にかかる芝生用スプリンクラーの揺動機構によれば、切換装置は、調節座の制限槽内で回転されて、切換装置の弾性リブをねじると、突出した案内ブロックに沿って係止ブロックを動かし、且つ、該係止ブロックが隣接状態にある突出した案内ブロックの他方側まで瞬間移動されるまで切換装置の上下逆さまになるＵ字形状の弾性部を圧縮する付勢力を発生し、これにより、切換操作が容易に簡単に達成される。
【００２３】
また、前記流水切換板が付勢され、回転した切換装置を介して移動して、別角度のもう一方の対の上方および下方の導水用オリフィスからの放水のために、以前開放していた方の対の上方および下方の導水用オリフェスを閉塞ようにする。と同時に、流水切換板は、その両端部によって、切換装置の制御部に精密に隣接嵌合していて、更にいっそう正確に放水を切換えて制御し、流水切換板の予期しない動きを防止する。
【００２４】
さらに、前記流水切換板が付勢され、回転した切換装置を介して移動して、別角度のもう一方の対の上方および下方の導水用オリフェスからの放水のために、以前開放していた方の対の上方および下方の導水用オリフェスを閉塞するようにする。と同時に、流水切換板は、その両端部によって、切換装置の制御部に精密に隣接嵌合していて、更にいっそう正確に放水を切換えて制御し、流水切換板の予期しない動きを防止することが可能となる。
【考案を実施するための最良の形態】
【００２５】
以下、添付図面を参照して本考案の好適な実施の形態を詳細に説明する。
【実施例１】
【００２６】
図５は本考案の芝生用スプリンクラーの揺動機構の第１実施例を示す破断斜視図で、図６は組立て状態を示す断面図である。
【００２７】
本考案の芝生用スプリンクラーの揺動機構は、スプリンクラー台２０と、該スプリンクラー台２０の一側に取り付けられたギア作動式動力伝動機構２１１が内部に配設されている散水制御ユニット２１とを備えている。前記散水制御ユニット２１には、制限コネクタ２１２と排水口コネクタ２１３’とが一方の外側端部に密接状態に結合されていて、他方の外側端部には、注水路内部に制御部を望ませて設置した制水弁２１３１を有する注水口コネクタ２１３が配設されている。前記制水弁２１３１は、注水口コネクタ２１３内部側に位置する注水孔２１３２を有し、放水量を制御するのに適用されるものである。
前記制限コネクタ２１２は、ギア作動式動力伝動機構２１１とスプリンクラー本体（図示せず）とに密接して連結されるようになっている。
【００２８】
ギア作動式動力伝動機構２１１には、その一端部で突出しているテーパ付きフランジ２１１１（図６参照）が設けられている。また、このテーパ付きフランジ２１１１外周の上方縁および下方縁には対称に取り付けられた１対の弾性翼状パネル２１１２が形成され、排水口コネクタ２１３’内部のスリーブ孔２１３１’を限定している環状の鋸歯状切子面２１３３’と噛み合い係合する。
【００２９】
排水口コネクタ２１３’のスリーブ孔２１３１’には、その前面側に突出形成された複数個のスリーブプレート２１３２’が設けられており、これによって前記テーパ付きフランジ２１１１の先端部が係止保持されるようになっている。
【００３０】
また、前記ギア作動式動力伝動機構２１１の他方外側端部には正方形状の連結孔２１１３が形成されていて、この連結孔２１１３に主回転駆動輪２１４が旋回可能に係合され、これにより、ギア作動式動力伝動機構を駆動する。
【００３１】
主回転駆動輪２１４の一側に設置された調節座２１５は、側壁の一部に切欠きの形成された凹状の制限槽２１５１と、制限槽２１５１の底板中心部に突出していて中央に旋回孔２１５２’が形成された連結ロッド２１５２とから構成されており、該連結ロッド２１５２には流水切換板２１６が取り付けられ、保持ポール２１８によって、該流水切換板２１６を連結ロッド２１５２に結合するようになっている。
【００３２】
さらに、圧力解除孔２１５３と三角形状の案内ブロック２１５４とがそれぞれ、連結ロッド２１５２の周囲近傍で制限槽２１５１底板の上方面および下方面に上下対称に設置されていて、さらに対をなす上方および下方導水用オリフェス２１５５，２１５５’がそれぞれ，連結ロッド２１５２の両側で制限槽２１５１の底板の左方及び右方側にそれぞれ対称に形成されている。前記圧力解除孔２１５３の後方側には、圧力解除板２１５３’が溶着されている。
【００３３】
前記保持ポール２１８には、ギア作動式動力伝動機構２１１の四角形状の連結孔２１１３にしっかりと係合する四角柱の連結端部２１８２を有する旋回ロッド２１８１が形成されていて、その他方端部に設けられた大径の鋸歯状の調整部２１８３が切換装置２１７にぴたりと組み合わされるようになっている。
【００３４】
前記切換装置２１７は、フレーム体で形成されていて、その内側には、鋸歯状の前記調節部２１８３と噛合う中心に向かって伸びている複数個の弾性リブ２１７１が形成されており、フレーム体の外壁の両側部にはそれぞれ切欠きによる制御部２１７２が形成されると共に、流水切換板２１６の各端部が前記制御部２１７２の切欠きに嵌ってこれによって揺動が制限されるようになる。この流水切換板２１６は、切換装置２１７の切欠き付き制御部２１７２に位置決めされて、斜めに対角線に位置決めされ、一方側の上方の導水用オリフェス２１５５と他方側の下方の導水用オリフェス２１５５’とを閉塞するようになり、あるいはまたその逆の開放する場合もある。
【００３５】
切換装置２１７は、その上方および下方の内側に上下反対方向で対称に配置された１対のＵ字形状の弾性部２１７３を有し、各々の弾性部にはその中央上部に突出している係止ブロック２１７４が設けてあり、この係止ブロック２１７４が、図７に示すように、調節座２１５の三角形状の案内ブロック２１５４の一側面に対して隣接係合するようになっている。
【００３６】
図８〜図１０について動作について説明する。
【００３７】
水道管等から供給される注入水が、注入口コネクタ２１３の注水孔２１３２を介して制水弁２１３１を通して下流側に流れ込み、調節座２１５の流水切換板２１６によって閉塞されていない開放されている方の上方および下方の導水用オリフェス２１５５，２１５５’を通過して流れ出る。そして、この流水が、前記主回転駆動輪２１４を付勢して一方向へ回転し、ギア作動式動力伝動機構の運動を誘起し、これが順にスプリンクラー本体（図示せず）を付勢し、これにより一方向側へ揺動するようになる。スプリンクラー本体は制限コネクタ２１２によって決定された調節範囲内で行ったり来たり揺動させられる。
【００３８】
制限コネクタ２１２によって限定された最終端まで行った後にスプリンクラー本体を揺り戻すには、制限コネクタ２１２によって係止されたギア作動式動力伝動機構２１１が、それまで流れ続けている流水によって強制的に回転させられる。回転したギア作動式動力伝動機構２１１は、調節座２１５の制限槽２１５１の連結ロッド２１５２に挿通された保持ポール２１８を付勢し、それによって制限槽２１５１内に収容されている切換装置２１７を回動する。
【００３９】
その後、図８に示すように、弾性リブ２１７１が、前記調節座２１５の縦方向の中心線を通り過ぎるまでトルク力によってひねられて、トルク力方向への瞬間移動位置付けを達成する。発生した力によって係止ブロック２１７４が三角形状の案内ブロック２１５４の底部側に沿って押し付けられ、係止ブロック２１７４が接触状態にある三角形状の案内ブロック２１５４の他方側へと瞬間移動するまで、Ｕ字形状の弾性部２１７３の中心が均等に圧縮され、その結果、切換装置２１７の全体としての瞬間回転が生じることになる。
【００４０】
すると、図９に示すように、流水切換板２１６は、切欠きのついた制御部２１７２に誘導されて他方側へ旋回可能に回転して、以前の対の上方および下方の導水用オリフェス２１５５，２１５５’を精密に完全密封し、もう一方の別の対の上方および下方の導水用オリフェス２１５５，２１５５’を開放するようにする。別の角度で出て来るように案内された流水は、主回転駆動輪２１４とギア作動式動力伝動機構２１１も併せて付勢し、それにより別方向へ回転するようになる。
【００４１】
従って、弾性リブ２１７１を介して、切換装置２１７の係止ブロック２１７４と制御部２１７２とが、調節座２１５の案内ブロック２１５４に対応して協働するので、スプリンクラー本体は簡単に角度が切換えられるようになり、トルク力を大幅に低減し、たとえ低水圧の下であってもスプリンクラー本体の動きが妨害されたり停止されたりすることなく、スプリンクラー本体の簡単でスムーズな操作を促進することができる。
【００４２】
また、切換装置２１７と保持ポール２１８とは個々に独立して設計されている。スプリンクラー台２０のスプリンクラー本体が故意にねじられて一方の側に保持されてしまった場合、図１０に示すように、弾性リブ２１７１が保持ポール２１８の回転に関して鋸歯状の調整部２１８３からはずれて、一端部でギア作動式動力伝動機構２１１と連結されている保持ポール２１８を空転するようにさせる。一方、ギア作動式動力伝動機構２１１も、スリーブ孔２１３１’の環状の鋸歯状切子面２１３３’に沿って空回りし、こうして、更なる保護に対して２層の空回りをもたらす。弾性翼状パネル２１１２の構造も、翼状パネル２１１２および環状の鋸歯状切子面２１３３’間で摩擦領域を減少して、機構の寿命を長持ちさせることとなる。
【００４３】
スプリンクラー本体の角度切換えに関しては、切換装置２１７の制御部２１７２が流水切換板２１６を精密に移動して、以前の対の上方および下方の導水用オリフェス２１５５，２１５５’を正確に密封することが確実にできる。
更に、流水切換板２１６の両端部は、流水切換板２１６がそこから思いがけず移動してはずれてしまわないように切換装置２１７の制御部２１７２に対して嵌められているので、放水角度を正確に切換え、散水制御ユニット２１の効果的な操作を達成することができる。
【００４４】
最後に、切換装置２１７と流水切換板２１６の両方共が同じ軸を共有していて、同方向へ動かされるので、低水圧の下でさえも、従前よりもいっそう楽々に放水の正確な切換えが促進することができるようになる。
【実施例２】
【００４５】
図１２は、本考案の他の実施例を示す断面図である。
【００４６】
この変形実施例の散水制御ユニットは垂直型に構成されている。散水ノズル４１が配置されているスプリンクラー本体４０が排水口コネクタ２１３’の上部に配設されていて、スプリンクラー本体４０が、散水制御ユニット２１に関して垂直方向に行ったり来たり揺動させられるようになっている。
【００４７】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００４８】
【図１】従来の芝生用スプリンクラーの揺動機構の断面図。
【図２】従来の芝生用スプリンクラーの揺動機構のギア作動式動力伝動機構の部分断面図。
【図３】従来の芝生用スプリンクラー揺動機構において水が調節座および位置付け部材へ流れる状態を示す断面概略図。
【図４】従来の芝生用スプリンクラーの揺動機構の回転装置および位置付け部材が実際の使用角度に切換えられた状態の断面概略図。
【図５】本考案の芝生用スプリンクラーの揺動機構の第１実施例を示す破断斜視図。
【図６】本考案の第１実施例の組立て状態を示す断面図。
【図７】本考案の第１実施例の切換装置および調節座の断面図。
【図８】スプリンクラー本体が角度を切換えられた場合の、本考案の第１実施例の切換装置および調節座の使用状態を示す断面概略図。
【図９】本考案の第１実施例の切換装置および調節座が適所に切換えられた状態を示す断面概略図。
【図１０】スプリンクラー本体が故意にねじ曲げられて一方の側に保持されたときに、本考案の第１実施例における切換装置の弾性リブが調節用鋸歯状部分から滑り出てきて、保持ポールに関して空転状態を示す断面概略図。
【図１１】排水口コネクタのスリーブ孔の鋸歯状の切子面において、ギア作動式動力伝動機構の翼状パネルが空転状態を示す断面概略図。
【図１２】本考案の芝生用スプリンクラーの揺動機構における第２実施例を示す断面図。
【符号の説明】
【００４９】
２０          スプリンクラー台
２１          散水制御ユニット
２１１        ギア作動式動力伝動機構
２１１１      テーパ付きフランジ
２１１２      弾性翼状パネル
２１１３      正方形状の連結孔
２１２        制限コネクタ
２１３        注水口コネクタ
２１３’      排水口コネクタ
２１３１      制水弁
２１３１’    スリーブ孔
２１３２      注水孔
２１３３’    環状の鋸歯状切子面
２１４        主回転駆動輪
２１５        調節座
２１５１      制限槽
２１５２      連結ロッド
２１５２’    旋回孔
２１５３      圧力解除孔
２１５３’    圧力解除板
２１５４      三角形状の案内ブロック
２１５５，２１５５’      対の上方および下方の導水用オリフェス
２１６        流水切換板
２１７        切換装置
２１７１      弾性リブ
２１７２      切欠き付き制御部
２１７３      Ｕ字形弾性部
２１７４      係止ブロック
２１８        保持ポール
２１８３      鋸歯状の調節部
【図１】
0003103254.tif 000003
【図２】
0003103254.tif 000004
【図３】
0003103254.tif 000005
【図４】
0003103254.tif 000006
【図５】
0003103254.tif 000007
【図６】
0003103254.tif 000008
【図７】
0003103254.tif 000009
【図８】
0003103254.tif 000010
【図９】
0003103254.tif 000011
【図１０】
0003103254.tif 000012
【図１１】
0003103254.tif 000013
【図１２】
0003103254.tif 000014
【手続補正書】
【提出日】平成16年4月6日(2004.4.6)
【手続補正１】
【補正対象書類名】実用新案登録請求の範囲
【補正対象項目名】全文
【補正方法】変更
【補正の内容】
【実用新案登録請求の範囲】
【請求項１】
ギア作動式動力伝動機構、制限コネクタ、注水口コネクタ、排水口コネクタ、主回転駆動輪、そして調節座とからなる芝生用スプリンクラーの揺動機構であって、
流水切換板と、切換装置と、保持ポールとが前記注水口コネクタに対応して前記調節座の側部に配置されていて、前記切換装置は、前記保持ポールの一端部に位置付けられて、同じ軸を共有し、前記流水切換板と同方向へ回転され、流水切換板を精密に移動して、放水角度を切換え得るようにしたことを特徴とする芝生用スプリンクラーの揺動機構。
【請求項２】
前記調節座には、その側壁部に切欠きを有する制限槽が有り、その内部に前記切換装置が配置されるようになっていることを特徴とする請求項１記載の芝生用スプリンクラーの揺動機構。
【請求項３】
前記調節座の制限槽には、その中心部に突出していて旋回孔がその中に形成された連結ロッドが配置され、該連結ロッドに流水切換板がスリーブ係合され、その一端部で保持ポールが前記旋回孔の中に挿通される構成としたことを特徴とする請求項２記載の芝生用スプリンクラーの揺動機構。
【請求項４】
前記調節座の制限槽には、突出した案内ブロックと、そこに予め設定された領域に適切に配置された対称になる上方および下方の導水用オリフェスと、が形成されていることを特徴とする請求項２記載の芝生用スプリンクラーの揺動機構。
【請求項５】
前記切換装置はフレーム体から成ることを特徴とする請求項１記載の芝生用スプリンクラーの揺動機構。
【請求項６】
前記切換装置には、その内側で中心に向かって伸びている複数個の弾性リブを有し、且つ両側に対称に形成した切欠きよりなる制御部を有すると共に、内側部には１対の上下逆さまに配置されたＵ字形状の弾性部が上方側および下方側にそれぞれ突出していることを特徴とする請求項５記載の芝生用スプリンクラーの揺動機構。
【請求項７】
前記保持ポールは、四角形状の連結端部が一方側に形成された旋回ロッドと、他方側端部に形成された大径の鋸歯状の調節部とからなることを特徴とする請求項１記載の芝生用スプリンクラーの揺動機構。
【請求項８】
前記切換装置の弾性リブは、噛合い状態になっている端部によって、保持ポールの鋸歯状の調節部へ隣接係合していることを特徴とする請求項６記載の芝生用スプリンクラーの揺動機構。
【請求項９】
前記切換装置の制御部が、流水切換板の回転と位置決めを確実に制御できることを特徴とする請求項６記載の芝生用スプリンクラーの揺動機構。
【請求項１０】
前記係止ブロックが、切換装置の内側の上下逆さまになる各々のＵ字形状の弾性部の上部中心に突出して配置されており、調節座の突出した案内ブロックの一側に一致させられて隣接係合していることを特徴とする請求項６記載の芝生用スプリンクラーの揺動機構。
【請求項１１】
前記保持ポールの四角形状の連結端部は調節座の旋回孔を挿通して、ギア作動式動力伝動機構の一側に配置された四角形状の連結孔に挿入されるようになっていることを特徴とする請求項７記載の芝生用スプリンクラーの揺動機構。
【請求項１２】
芝生用スプリンクラーの揺動機構であって、散水制御ユニットが、ギア作動式動力伝動機構と、制限コネクタと、注水口コネクタと、排水口コネクタと、主回転駆動輪と、流水切換板と切換装置と保持ポールが配置された調節座とを含み、様々な設計になるスプリンクラー本体が、排水口コネクタの一端部に横方向に設置されるようにしたことを特徴とする請求項１記載の芝生用スプリンクラーの揺動機構。
【請求項１３】
芝生用スプリンクラーの揺動機構であって、前記散水制御ユニットが、ギア作動式動力伝動機構と、制限コネクタと、注水口コネクタと、排水口コネクタと、主回転駆動輪と、流水切換板と切換装置と保持ポールが配置された調節座とを含み、前記散水制御ユニットは、垂直型に構成されていて、様々な設計になるスプリンクラー本体が排水口コネクタの上部に設置されて、垂直向に行ったり来たり揺動されるようにしたことを特徴とする請求項１記載の芝生用スプリンクラーの揺動機構。